(57)【要約】【課題】照明ムラが発生しないように工夫した照明ケースの水抜き構造を提供する。【解決手段】前面開口３ａから内部にＬＥＤユニット（照明器具）５を収納可能な四角箱状の透明合成樹脂製ケース体３と、このケース体３の前面開口３ａを閉塞可能な不透明合成樹脂製のケース蓋４とを備え、ＬＥＤユニット（照明器具）５でケース体３を透して上下方向の少なくとも一方に照明するものであって、ケース体３の上部または下部の少なくとも一方には、外部に連通する水抜き孔３ｊが形成されるとともに、ケース蓋４の内面には、ケース体３の水抜き孔３ｊに対向する横リブ（遮光リブ）４ｈが形成されている。横リブ（遮光リブ）４ｈで遮られて水抜き孔３ｊから照明光ａが直に外部に漏れなくなるので、ケース体３を透った照明光ｂとの兼ね合いで照明ムラが発生するおそれがなくなる。【選択図】図９
2008071650.tif 000002
【特許請求の範囲】
【請求項１】
前面開口から内部に照明器具を収納可能な四角箱状の透明合成樹脂製ケース体と、このケース体の前面開口を閉塞可能な不透明合成樹脂製のケース蓋とを備え、照明器具でケース体を透して上下方向の少なくとも一方に照明するものであって、
前記ケース体の上部または下部の少なくとも一方には、外部に連通する水抜き孔が形成されるとともに、前記ケース蓋の内面には、ケース体の水抜き孔に対向する遮光リブが形成されていることを特徴とする照明ケースの水抜き構造。
【請求項２】
前記水抜き孔は、ケース体の前面開口の下位置の前縁部分で半円形状に形成されていることを特徴とする請求項１に記載の照明ケースの水抜き構造。
【発明の詳細な説明】
【技術分野】
【０００１】
本発明は、照明ムラが発生しないように工夫した照明ケースの水抜き構造に関する。
【背景技術】
【０００２】
従来、透明なカバーケース内にＬＥＤ（発光ダイオード）を実装した基板を収容するとともに、このカバーケースを外殻体内に固定した照明器具がある（特許文献１参照）。
【０００３】
ところで、浴室等のように湿気の多い場所に設置する照明器具において、デザイン上の観点から、前面開口から内部に照明器具を収納可能な四角箱状の透明合成樹脂製ケース体と、このケース体の前面開口を閉塞可能な不透明合成樹脂製のケース蓋とを備え、照明器具でケース体を透して上下方向の少なくとも一方に照明するものが望まれることがある。
【０００４】
この場合、湿気の多い場所に設置することから、湿気等がケース体内に浸入することがあり、浸入して籠もった湿気等によって透明のケース体内が曇ると照明効果が悪くなる。
【０００５】
そこで、ケース体内が曇ることを防止するために、ケース体に水抜き孔を形成して、この水抜き孔から湿気を抜くとともに外気を入れてケース体内を乾燥させることが考えられる。
【特許文献１】特開２００５−３０２４８４号公報
【発明の開示】
【発明が解決しようとする課題】
【０００６】
しかしながら、ケース体に水抜き孔を形成すれば、この水抜き孔から照明光が直に外部に漏れることから、ケース体を透った照明光との兼ね合いで照明ムラが発生するおそれがあるという問題があった。
【０００７】
本発明は、前記問題を解消するためになされたもので、照明ムラが発生しないように工夫した照明ケースの水抜き構造を提供することを目的とするものである。
【課題を解決するための手段】
【０００８】
前記課題を解決するために、本発明は、前面開口から内部に照明器具を収納可能な四角箱状の透明合成樹脂製ケース体と、このケース体の前面開口を閉塞可能な不透明合成樹脂製のケース蓋とを備え、照明器具でケース体を透して上下方向の少なくとも一方に照明するものであって、前記ケース体の上部または下部の少なくとも一方には、外部に連通する水抜き孔が形成されるとともに、前記ケース蓋の内面には、ケース体の水抜き孔に対向する遮光リブが形成されていることを特徴とする照明ケースの水抜き構造を提供するものである。
【０００９】
請求項２のように、前記水抜き孔は、ケース体の前面開口の下位置の前縁部分で半円形状に形成されている構成とすることができる。
【発明の効果】
【００１０】
本発明によれば、ケース体の内部にＬＥＤ（発光ダイオード）等の照明器具を収納すれば、例えば浴室内に設置すると、ケース体を透して上下方向の少なくとも一方に淡い光で照明することができるので、癒し効果等が期待できるようになる。
【００１１】
また、ケース体に水抜き孔を形成しているから、水抜き孔から湿気を抜くとともに外気を入れてケース体内を乾燥させることで、透明のケース体内が曇ることが防止できるので、照明効果が悪くならなくなる。
【００１２】
さらに、ケース蓋の内面に水抜き孔に対向する遮光リブを形成しているから、遮光リブで遮られて水抜き孔から照明光が直に外部に漏れなくなるので、ケース体を透った照明光との兼ね合いで照明ムラが発生するおそれがなくなる。また、遮光リブによってケース蓋を補強できるようになる。
【００１３】
請求項２によれば、水抜き孔をケース体の前面開口の下位置の前縁部分で半円形状に形成することで、上下の成形型による成形だけでケース体に水抜き孔を形成することができ、ケース体に水抜き孔を工具等で開ける等の後加工が不要になるので、コスト安になる。
【発明を実施するための最良の形態】
【００１４】
以下、本発明を実施するための最良の形態について、図面を参照しながら詳細に説明する。
【００１５】
図８（ａ）（ｂ）に示すように、照明器具としてのＬＥＤ（発光ダイオード）ユニット５を収納する照明ケース２は、横長四角形状に形成されて、浴室の壁面１に横向きで固定されるようになる。
【００１６】
図８（ｂ）に示すように、照明ケース２は、前面開口３ａから内部にＬＥＤユニット５を収納可能な横長四角箱状のケース体３と、このケース体３の前面開口３ａを閉塞可能な蓋部４ａの両側から後方に突出して、前方からケース体３の両側外面３ｂに嵌め合い可能な両側部４ｂを有するケース蓋４とを備えている。
【００１７】
ケース体３は透明合成樹脂製、ケース蓋４は不透明（例えば乳白色）合成樹脂製であって、ＬＥＤユニット５でケース体３を透して上下方向に淡い光で照明することで〔図８（ａ）の一点鎖線の矢印を参照〕、癒し効果等が期待できるようになる。
【００１８】
図１，図３〜図５に示すように、ケース体３の内部の長さ方向の略中央位置には、ＬＥＤを水密状態で格納した正四角箱形状のＬＥＤユニット５が配置され、このＬＥＤユニット５は、図３のように、２組のねじ６ａとナット６ｂとで、ケース体３の底部３ｃに固定されている。
【００１９】
ケース体３の底部３ｃの長さ方向の略中央位置には、ＬＥＤユニット５の配線類を外部に引き出すための筒状部３ｄが形成され、筒状部３ｄの両側には、前記のねじ６ａを挿通させるためのねじ用孔３ｅが形成され、ねじ用孔３ｅの両側には、パッキン７（図３参照）を介してケース体３を前記の壁面１に固定するためのねじを挿通させるねじ用孔３ｆが形成されている。
【００２０】
ケース体３の両側外面３ｂには、上下方向の略中間位置で前後方向に延在するアリ溝（略逆Ｔ字状断面の凹条）３ｇが形成されている。
【００２１】
このアリ溝３ｇは、図５（ａ）のように、入口側の左右方向の隙間（溝深さ）ｔ１が広く、出口側の左右方向の隙間（溝深さ）ｔ２が狭くなるような勾配形状に設定されている（ｔ１＞ｔ２）。なお、出口側の左右方向の隙間ｔ２が通常の隙間であって、入口側の左右方向の隙間ｔ１を通常の隙間よりも広くしていることになる。
【００２２】
ケース体３の底部３ｃの後面３ｈには、両側外面３ｂとの角部分に、後述する係止爪４ｆを係止するための後面凹部３ｉが形成されている。
【００２３】
ケース体３の前面開口３ａの下位置の前縁両側部分には、小さい半円形状の水抜き孔３ｊが形成されている。
【００２４】
図１、図３、図６、図７に示すように、ケース蓋４の両側部４ｂの内面には、ケース体３の両側外面３ｂのアリ溝３ｇに係合可能なアリ（（略逆Ｔ字状断面の凸条）４ｃが形成されている。
【００２５】
このアリ４ｃは、図６（ａ）（ｃ）のように、後端部４ｄ側の略逆Ｔ字状の縦棒部分に切り込み（スリット）４ｅが形成されることで、後端部４ｄ側が左右方向（アリ溝３ｇの深さ方向）に撓み可能〔図６（ｃ）の矢印参照〕となっている。
【００２６】
ケース蓋４の両側部４ｂの後端部には、ケース体３の後面凹部３ｉに係止可能な複数個の内向き係止爪４ｆが形成されている。
【００２７】
ケース蓋４の蓋部４ａの内面には、長さ方向の略中央位置に縦方向に延在する上下２本の縦リブ４ｇが形成されるとともに、長さ方向の両側位置に横方向に延在する上下２本の横リブ４ｈが形成されている。この上下の横リブ４ｈのいずれか一方は、ケース体３にケース蓋４が完全に嵌り合ったときに、ケース体３の水抜き孔３ｊの真上に臨んで、水抜き孔３ｊの上方をカバーするようになる。
【００２８】
前記のようにＬＥＤユニット５の照明ケース２を構成すれば、ケース体３の両側外面３ｂに、ケース蓋４の両側部４ｂを前方から嵌め合わせるときに、ケース体３のアリ溝３ｇにケース蓋４のアリ４ｃを係合させるから、アリ溝３ｇによるアリ４ｃのガイドによって、ケース体３にケース蓋４を真っ直ぐに嵌め合わせることができ、ケース体３にケース蓋４が完全に嵌り合ったときに、図２のように、ケース蓋４の係止爪４ｆがケース体３の後面凹部３ｉに係止されることで、ケース蓋４がケース体３にロックされるようになる。
【００２９】
このケース体３の両側外面３ｂにケース蓋４の両側部４ｂを前方から嵌め合わせるとき、ケース体３のアリ溝３ｇは入口側の左右方向（アリ溝３ｇの深さ方向）の隙間ｔ１が広くなっているので、ケース蓋４のアリ４ｃの後端部（嵌め合わせ始端部）４ｄをアリ溝３ｇの入口端部に係合させやすくなる。
【００３０】
また、ケース蓋４の両側部４ｂの後端部４ｄは、係止爪４ｆがケース体３の両側外面３ｂに乗り上げることで外方に少し押し広げられ、これに伴ってアリ４ｃの後端部４ｄ側も外方に変位するが、アリ溝３ｇの入口側の左右方向の隙間ｔ１が広いので、アリ４ｃの後端部４ｄ側がアリ溝３ｇに強く接触しなくなって、嵌め合わせがスムーズに行えるようになる。
【００３１】
さらに、アリ溝３ｇの出口側の左右方向の隙間ｔ２が狭く（正規の隙間）なっているが、アリ４ｃは、後端部４ｄ側が撓み可能であるので、アリ溝３ｇに強く接触しなくなって、嵌め合わせが最後までスムーズに行えるようになる。
【００３２】
このようにして、ケース体３にケース蓋４を組み付けるときの組付け性が良好になる。
【００３３】
また、ケース体３にケース蓋４が完全に嵌り合って、ケース蓋４の係止爪４ｆがケース体３の後面凹部３ｉに係止されることで、ケース蓋４がケース体３にロックされると、アリ４ｃの後端部４ｄ側の撓み力でケース蓋４の両側部４ｂの内面がケース体３の両側外面３ｂに押し付けられるので、内外面の間に隙間が生じなくなって、この隙間を通って湿気等がケース体３内に浸入することが未然に防止できるようになる。
【００３４】
なお、ＬＥＤユニット５は、ＬＥＤを水密状態で格納しているので、ケース体３とケース蓋４との間に厳密な水密（防水）構造は必ずしも必要ではないが、ケース体３内に湿気が多量に入り込むと、照明効果に悪い影響を与えるので、湿気が入りにくい程度の水密（防水）構造とすることが好ましく、この点からも、湿気等がケース体３内に浸入することを未然に防止することが好ましい。
【００３５】
そして、ＬＥＤユニット５のＬＥＤは、前方に向けて発光され、その発光がケース蓋４の内面で反射されて上下方向に分光されて、ケース体３の上下壁を透して上下方向に淡い光で照明されるようになる。
【００３６】
ＬＥＤユニット５のＬＥＤは、半永久的な寿命を有するので、原則的には交換等が不要であるが、メンテナンス等のために、ケース蓋４をケース体３から取り外すときには、工具を用いて、ケース蓋４の係止爪４ｆをケース体３の後面凹部３ｉから外した状態で、ケース蓋４を後方に引き抜くことで、ケース体３から取り外すことができる。
【００３７】
一方、照明ケース２は、湿気の多い浴室に設置することから、湿気等がケース体３内に浸入することがあり、浸入して籠もった湿気等によって透明なケース体３内が曇ると照明効果が悪くなる。
【００３８】
そこで、ケース体３内が曇ることを防止するために、ケース体３に形成した水抜き孔３ｊから湿気を抜くとともに外気を入れてケース体３内を乾燥させることで、透明のケース体３内が曇ることが防止できるので、照明効果が悪くならなくなる。
【００３９】
ところが、図９（ａ）に示すように、ケース体３に水抜き孔３ｊを形成すれば、この水抜き孔３ｊから照明光ａが直に外部に漏れることから、ケース体３を透った照明光ｂとの兼ね合いで照明ムラが発生するおそれがある。
【００４０】
このため、図９（ｂ）に示すように、ケース蓋４の内面に水抜き孔３ｊに対向する横リブ（遮光リブ）４ｈを形成することで、横リブ４ｈで遮られて水抜き孔３ｊから照明光ａが直に外部に漏れなくなるので、ケース体３を透った照明光ｂとの兼ね合いで照明ムラが発生するおそれがなくなる。また、縦リブ４ｇと横リブ４ｈとによって、ケース蓋４を補強できるようになる。
【００４１】
また、水抜き孔３ｊをケース体３の前面開口３ａの下位置の前縁部分で半円形状に形成することで、上下の成形型による成形だけでケース体３に水抜き孔３ｊを形成することができ、ケース体３に水抜き孔３ｊを工具等で開ける等の後加工が不要になるので、コスト安になる。
【００４２】
前記実施形態のケース蓋４には、上下２本の横リブ４ｈを形成しており、これは、ケース蓋４を天地逆にしてケース体３に嵌め合わせたとしても、一方の横リブ４ｈが下位置の水抜き孔３ｊに必ず対向できるように考慮したものである。この上下２本の横リブ４ｈの他方を利用するために、水抜き孔３ｊをケース体３の前面開口３ａの上位置の前縁部分にも形成することができる。
【００４３】
前記実施形態では、ケース体３を透して上下方向に照明するものであったが、上方向だけの照明或いは下方向だけの照明であっても良い。
【図面の簡単な説明】
【００４４】
【図１】本発明の実施形態に係る照明ケースの分解斜視図である。
【図２】図１の照明ケースであり、（ａ）は組み付け斜視図、（ｂ）は下面（底面）側の斜視図である。
【図３】図１の照明ケースからＬＥＤユニットを取り外した状態の分解斜視図である。
【図４】図１の照明ケースのケース体であり、（ａ）は背面（後面）図、（ｂ）は平面図、（ｃ）は正面図である。
【図５】図１の照明ケースのケース体であり、（ａ）は図４（ｃ）のＩ−Ｉ線断面図、（ｂ）は側面図、（ｃ）は図４（ｃ）のＩＩ−ＩＩ線断面図である。
【図６】図１の照明ケースのケース蓋であり、（ａ）は平面図、（ｂ）は背面（後面）図、（ｃ）は図６（ｂ）のＩＩＩ−ＩＩＩ線断面図である。
【図７】図１の照明ケースのケース蓋であり、（ａ）は側面図、（ｂ）は図６（ｂ）のＩＶ―ＩＶ線断面図である。
【図８】図１の照明ケースであり、（ａ）は浴室の壁面に固定した略画的斜視図、（ｂ）は略画的分解斜視図である。
【図９】図１の照明ケースの水抜き孔を示すものであり、（ａ）は横リブが無いときの断面図、（ｂ）は横リブが有るときの断面図である。
【符号の説明】
【００４５】
１    壁面
２    照明ケース
３    ケース体
３ａ  前面開口
３ｂ  両側外面
３ｇ  アリ溝
３ｈ  後面
３ｉ  後面凹部
３ｊ  水抜き孔
４    ケース蓋
４ａ  蓋部
４ｂ  両側部
４ｃ  アリ
４ｄ  後端部
４ｆ  係止爪
４ｈ  横リブ（遮光リブ）
５    ＬＥＤユニット（照明器具）
ｔ１，ｔ２  隙間
ａ，ｂ  照明光
【図１】
2008071650.tif 000003
【図２】
2008071650.tif 000004
【図３】
2008071650.tif 000005
【図４】
2008071650.tif 000006
【図５】
2008071650.tif 000007
【図６】
2008071650.tif 000008
【図７】
2008071650.tif 000009
【図８】
2008071650.tif 000010
【図９】
2008071650.tif 000011